(57)【要約】【課題】作業性に優れ、かつ植物が生育を続け易い緑化ブロックを提供する。【解決手段】砂地５０の上に載置されて舗装強度を発揮可能であり、載置された状態で上下となる方向に貫通孔１０ａが貫設されたブロック本体２０と、貫通孔１０ａ内に砂地５０と接触可能に保持され、無数のバーミキュライト１８が結合されてなる培地２６とからなる。【選択図】        図３
2004180525.tif 000002
【特許請求の範囲】
【請求項１】
砂地の上に載置されて舗装強度を発揮可能であり、載置された状態で上下となる方向に貫通孔が貫設されたブロック本体と、該貫通孔内に該砂地と接触可能に保持され、無数の無機多孔質粒子が結合されてなる培地とからなることを特徴とする緑化ブロック。
【請求項２】
前記培地の表面は、前記ブロック本体の表面から少し低く位置していることを特徴とする請求項１記載の緑化ブロック。
【請求項３】
前記無機多孔質粒子は毛管現象及びイオン吸着性能を発揮可能なものであることを特徴とする請求項１又は２記載の緑化ブロック。
【請求項４】
前記無機多孔質粒子はバーミキュライトであることを特徴とする請求項３記載の緑化ブロック。
【請求項５】
前記培地には前記無機多孔質粒子間により水を下降可能な連続気孔が形成されていることを特徴とする請求項３又は４記載の緑化ブロック。
【請求項６】
前記培地には植物が栽培されていることを特徴とする請求項１乃至５のいずれか１項記載の緑化ブロック。
【請求項７】
前記植物はセダムであることを特徴とする請求項６記載の緑化ブロック。
【請求項８】
貫通孔が貫設された基材を用意する第１工程と、
無数の無機多孔質粒子と結合剤とを含む混合物を該貫通孔内に充填する第２工程と、
少なくとも該混合物を固化するとともに該貫通孔内に保持して培地とし、砂地の上に載置されて舗装強度を発揮可能であり、載置された状態で上下となる方向に貫設された該貫通孔内に該培地が該砂地と接触可能に保持された緑化ブロックを得る第３工程とを備えていることを特徴とする緑化ブロックの製造方法。
【発明の詳細な説明】
【０００１】
【発明の属する技術分野】
本発明は緑化ブロック及びその製造方法に関する。この緑化ブロックは、舗道、ビル、家屋等の建設に用いて好適である。
【０００２】
【従来の技術】
近年、高層ビル等が建ち並ぶ大都市等では、温暖化によるヒートアイランド現象が問題となっている。このため、さまざまな方法で緑化を促進させることにより、ヒートアイランド現象を解決しようとする試みがなされている。また、マンション等が建ち並ぶ住宅地等では、さまざまな方法で緑化を促進させることにより、居住環境を改善する試みがなされている。
【０００３】
例えば、図６及び図７に示すように、コンクリート９０上に砂地９２を堆積し、砂地９２上に敷かれた複数のコンクリートブロック等の一般的なブロック９４間に植栽９６を施すことにより、舗道、ビル等が構成されている。植栽９６は、土壌９６ａと砂利等の骨材９６ｂとを混合して充填した培地９６ｃに芝等の植物９６ｄを植えたものである。また、図８及び図９に示すように、載置された状態で上下となる方向に貫通孔９６ｇが貫設されたブロック９６ｆも知られている。このコンクリートブロック９６ｆを用いた植栽９６では、貫通孔９６ｇ内に培地９６ｃを充填し、培地９６ｃに植物９６ｄを植えたものである。
【０００４】
【発明が解決しようとする課題】
しかし、上記植栽９６では、一般的なブロック９４間に培地９６ｃを充填したり、貫通孔９６ｇが貫設されたブロック９６ｆの貫通孔９６ｇ内に培地９６ｃを充填したりしなければならず、面倒である。
【０００５】
この点、特開２００１−３２７２１８号公報開示の緑化ブロックが知られている。この緑化ブロックは、普通コンクリートからなり、載置された状態で上方となる面に凹部が凹設されたブロック本体と、その凹部内に保持されたポーラスコンクリートとからなるものである。ポーラスコンクリートには植物を植えることが可能である。この緑化ブロックでは、ブロック本体の凹部にポーラスコンクリートが保持されているため、培地を充填する作業を省略することができ、上記不具合を解決することができる。
【０００６】
しかしながら、上記文献記載の緑化ブロックでは、ポーラスコンクリートによって空隙が確保され、その空隙によって植物にとって必要な保水が行なわれているものの、そのポーラスコンクリートは凹部内に止まり、凹部の下方は通水性のほとんどない普通コンクリートによって構成されているため、蓄え得る水分量に限界があり、保水性が十分でない。このため、この緑化ブロックでは、ポーラスコンクリートに植物を植えたとしても、植物が生育を続け難く、ヒートアイランド現象の解決や居住環境の改善の効果を長期に亘って期待することができない。
【０００７】
本発明は、上記従来の実情に鑑みてなされたものであり、作業性に優れ、かつ植物が生育を続け易い緑化ブロックを提供することを解決すべき課題としている。
【０００８】
【課題を解決するための手段】
本発明の緑化ブロックは、砂地の上に載置されて舗装強度を発揮可能であり、載置された状態で上下となる方向に貫通孔が貫設されたブロック本体と、該貫通孔内に該砂地と接触可能に保持され、無数の無機多孔質粒子が結合されてなる培地とからなることを特徴とする。
【０００９】
本発明の緑化ブロックでは、ブロック本体が砂地の上に載置されて舗装強度を発揮する。また、ブロック本体には載置された状態で上下となる方向に貫通孔が貫設され、その貫通孔に培地が保持されているため、培地を充填する作業を省略することができる。また、貫通孔内の培地が砂地と接触可能であるため、砂地に存在する水は培地と接触可能である。そして、培地は無数の無機多孔質粒子が結合されてなるものであるため、水が各無機多孔質粒子内に含浸可能である。こうして、緑化ブロックは、培地に順次水が補給され、十分な保水性を発揮することができる。
【００１０】
したがって、本発明の緑化ブロックによれば、作業性に優れ、かつ植物が生育を続け易い。この緑化ブロックを舗道、ビル、家屋等の建設に用いることによって、ヒートアイランド現象を解決したり、居住環境を改善したりすることに役立つこととなる。
【００１１】
培地の表面は、ブロック本体の表面から少し低く位置していることが好ましい。ブロック本体の表面と同じ高さに培地の表面を設けると、歩行者等が植物を踏みつけ、培地に栽培される植物を傷めてしまうからである。
【００１２】
本発明の緑化ブロックにおいて、無機多孔質粒子は毛管現象及びイオン吸着性能を発揮可能なものであることが好ましい。こうであれば、培地は、毛管現象により無機多孔質粒子内に水を行き渡らせ易く、イオン吸着性能により窒素等の栄養分を長期間保持することができる。つまり、肥料等を培地に与えた場合は、肥料等に含まれる栄養分としての窒素等がイオン吸着され、栽培されている植物の葉等が枯れた場合は、枯れた葉等に含まれる栄養分がイオン吸着される。また、毛管現象の観点からは、平均内径が３０〜５０μｍの気孔を有することが好ましい。ここで、平均内径とは、無作為に抽出した無機多孔質粒子について、無作為に抽出した多数の気孔の最大内径と最小内径との和を２で除した値である。このような無機多孔質粒子としては、バーミキュライト、ゼオライト等を用いることができる。特に、バーミキュライトを用いることが好ましい。発明者らの試験結果によれば、バーミキュライトは、平均内径１００μｍ以内の気孔を有していることにより、毛管現象を好適に発揮できるとともに、イオン吸着性能を好適に発揮することができるからである。
【００１３】
また、本発明の緑化ブロックにおいて、培地には無機多孔質粒子間により水を下降可能な連続気孔が形成されていることが好ましい。雨天等により余剰の水が培地に供給された場合、その水は連続気孔により下降し、砂地から排出することができる。これにより植物が腐る等の不具合を防止することができる。また、このような連続気孔により緑化ブロックの比重を小さくし、軽量化を図ることができる。
【００１４】
さらに、本発明の緑化ブロックは、培地に予め植物が栽培されていることが好ましい。植物の栽培は、種を植えただけでもよいし、ある程度生育させていてもよい。これにより緑化ブロックの購入者が培地によって植物を栽培する際、自ら種や苗を植える必要がなくなり、便宜である。発明者らの試験結果によれば、本発明の緑化ブロックにはセダムが適している。セダムは、乾燥等の熱変化に強く、多量の肥料を必要としないからである。
【００１５】
本発明の緑化ブロックは、本発明の緑化ブロックの製造方法により製造することができる。本発明の製造方法は、貫通孔が貫設された基材を用意する第１工程と、無数の無機多孔質粒子と結合剤とを含む混合物を該貫通孔内に充填する第２工程と、少なくとも該混合物を固化するとともに該貫通孔内に保持して培地とし、砂地の上に載置されて舗装強度を発揮可能であり、載置された状態で上下となる方向に貫設された該貫通孔内に該培地が該砂地と接触可能に保持された緑化ブロックを得る第３工程とを備えていることを特徴とする。
【００１６】
本発明の緑化ブロックの製造方法では、第１工程において、貫通孔が貫設された基材を用意する。そして、第２工程において、無数の無機多孔質粒子と結合剤とを含む混合物を貫通孔内に充填する。そして、第３工程において、少なくとも混合物を固化するとともに貫通孔内に保持して培地とした緑化ブロックを得る。この緑化ブロックは、砂地の上に載置されて舗装強度を発揮可能であり、載置された状態で上下となる方向に貫設された貫通孔内に培地が砂地と接触可能に保持されることとなる。こうして得られる緑化ブロックによって本発明の効果を奏することができる。
【００１７】
基材としては、コンクリート製、陶磁器製等のものを採用することができる。既に固化し、舗装強度を発揮可能な基材を採用することができる。また、第３工程において混合物を固化する際、基材も加熱する場合には、その加熱によって固化する成形体を基材として採用することもできる。
【００１８】
【発明の実施の形態】
以下、本発明の緑化ブロック及びその製造方法を具体化した実施形態を図面１〜５を参照しつつ説明する。
【００１９】
実施形態の緑化ブロックの製造方法では、図１に示す第１工程Ｓ１０において、図２（ａ）に示すように、基材として２００（ｍｍ）角、厚さ６０（ｍｍ）の透水セラミックブロック１０を用意する。透水セラミックブロック１０は不要となった既設の舗道を撤去して再利用したものである。そして、透水セラミックブロック１０の上下となる方向に４０（ｍｍ）角の４つの貫通孔１０ａを貫設する。
【００２０】
次に、図１に示す第２工程Ｓ２０において、無機多孔質粒子として平均粒径５（ｍｍ）のバーミキュライト１２を１００質量部用意する。各バーミキュライト１２は平均内径１００μｍ以内の気孔を有している。また、結合剤として平均粒径３０（μｍ）のガラスフリット１４を３０質量部用意する。さらに、粘着剤としてカルボキシメチルセルロース（ＣＭＣ）を３０質量部用意する。そして、バーミキュライト１２とガラスフリット１４とをＣＭＣで粘着して混合し、混合物１６とする。そして、図２（ｂ）に示すように、混合物１６を透水セラミックブロック１０の貫通孔１０ａに投入する。そして、貫通孔１０ａ内の混合物１６を１（ＭＰａ）の力で加圧し、混合物１６を底面から４０（ｍｍ）の厚さにする。
【００２１】
次いで、図１に示す第３工程Ｓ３０において、貫通孔１０ａに混合物１６を充填した透水セラミックブロック１０を８００（°Ｃ）で焼成する。これにより、ＣＭＣは焼失するとともに、ガラスフリット１４が溶融し、バーミキュライト１２が貫通孔１０ａ内で結合することとなる。これにより、無数のバーミキュライト１２が結合されて貫通孔１０ａ内に保持され、培地２６となる。
【００２２】
この後、培地２６に肥料及び必要な水を含浸させた後、タイトゴメと呼ばれるセダム１８の種を植える。そして、種をある程度生育させる。こうして、図２（ｃ）に示すように、透水セラミックブロック１０からなり、貫通孔１０ａが貫設されたブロック本体２０と、貫通孔１０ａ内に砂地５０と接触可能に保持され、無数のバーミキュライト１２が結合されてなる培地２６と、培地２６に栽培されたセダム１８とからなる緑化ブロック３０が得られる。
【００２３】
こうして得られた緑化ブロック３０は、図３及び図４に示すように、コンクリート４０上に敷き詰められた砂地５０上において、一般的なコンクリートブロック６０と共に載置され、舗道等を構成する。この際、緑化ブロック３０はブロック本体２０が砂地５０の上に載置されて舗装強度を発揮する。また、ブロック本体２０には載置された状態で上下となる方向に貫通孔１０ａが貫設され、その貫通孔１０ａに培地２６が保持されているため、培地２６を充填する作業を省略することができる。
【００２４】
また、貫通孔１０ａ内の培地２６が砂地５０と接触可能であるため、砂地５０に存在する水は培地２６と接触可能である。そして、培地２６は無数のバーミキュライト１２が結合されてなるものであり、各バーミキュライト１２が平均内径１００μｍ以内の気孔を有するため、水が各バーミキュライト１２内に含浸可能である。こうして、緑化ブロック３０は、培地２６に順次水が補給され、十分な保水性を発揮することができる。
【００２５】
特に、この緑化ブロック３０では、培地２６の表面がブロック本体２０の表面から少し低く位置しているため、歩行者等がセダム１８を踏みつけることはなく、セダム１８を傷めることもない。
【００２６】
また、この緑化ブロック３０では、毛管現象及びイオン吸着性能を好適に発揮するバーミキュライト１２を無機多孔質粒子として用いているため、培地２６は、バーミキュライト１２内に水を行き渡らせ易く、イオン吸着性能により長期間に亘り窒素等の栄養分を保持することができる。
【００２７】
また、この緑化ブロック３０では、図５に示すように、ガラスフリット１４が溶融することにより各バーミキュライト１２が結合しており、これにより培地２６には各バーミキュライト１２間で平均内径５００μｍ以上の連続気孔１５が形成されている。この連続気孔１５内にセダム１８の根１８ａが通っている。このため、雨天等により余剰の水が培地２６に供給された場合、その水は連続気孔１５により下降し、砂地５０から排出することができる。これによりセダム１８が腐る等の不具合を防止することができる。また、このような連続気孔１５により緑化ブロック３０の比重を小さくし、軽量化を図ることができる。
【００２８】
さらに、この緑化ブロック３０は培地２６に予めセダム１８が栽培されたものであるため、緑化ブロック３０の購入者が自ら種や苗を植える必要がなく、便宜である。特に、セダム１８は、乾燥等の熱変化に強く、多量の肥料を必要としないため、緑化ブロック３０に植える植物に適している。
【００２９】
したがって、この緑化ブロック３０によれば、作業性に優れ、かつセダム１８が生育を続け易い。これにより、ヒートアイランド現象を解決したり、居住環境を改善したりすることに役立つこととなる。
【図面の簡単な説明】
【図１】実施形態に係り、緑化ブロックの製造方法の工程図である。
【図２】実施形態に係り、図（ａ）は基材の縦断面図、図（ｂ）は基材と混合物との縦断面図、図（ｃ）は緑化ブロックの縦断面図である。
【図３】実施形態に係り、施工後の舗道等の縦断面図である。
【図４】実施形態に係り、施工後の舗道等の上面図である。
【図５】実施形態に係り、緑化ブロックにおける培地の拡大断面図である。
【図６】従来の技術に係り、施工後の舗道等の縦断面図である。
【図７】従来の技術に係り、施工後の舗道等の上面図である。
【図８】従来の技術に係り、施工後の舗道等の縦断面図である。
【図９】従来の技術に係り、施工後の舗道等の上面図である。
【符号の説明】
５０…砂地
１０ａ…貫通孔
２０…ブロック本体
１２…バーミキュライト（無機多孔質粒子）
２６…培地
３０…緑化ブロック
１５…連続気孔
１８…セダム（植物）
１０…透水セラミックブロック（基材）
Ｓ１０…第１工程
１４…ガラスフリット（結合剤）
１６…混合物
Ｓ２０…第２工程
Ｓ３０…第３工程
【図１】
2004180525.tif 000003
【図２】
2004180525.tif 000004
【図３】
2004180525.tif 000005
【図４】
2004180525.tif 000006
【図５】
2004180525.tif 000007
【図６】
2004180525.tif 000008
【図７】
2004180525.tif 000009
【図８】
2004180525.tif 000010
【図９】
2004180525.tif 000011